(57)【要約】      （修正有）【課題】枡、会所の上蓋、トユの集水器、バケツ、空き缶、植木鉢、植木鉢の受け皿などのいろいろな大きさに柔軟に対応することができて、蚊が進入するのを防ぐことができる、水たまりに進入する蚊、ゴミの防止ネットを提供する。【解決方法】蚊が通らない細かいメッシュ状の袋１で、その袋の開口部２は丸めたり、少々幅広に、２〜４重に折り込んだりして強度を持たせて、より強く固定をさすことができるようにしてあり、メッシュ状の面３を縫い合わせたり、熱で圧着したり、接着したりして、袋状にして、材質は合成樹脂や合成樹脂の合成体でつくり、伸縮性のある袋状にしていることを特徴とする。【選択図】図１
0003206357.tif 000002
【実用新案登録請求の範囲】
【請求項１】
蚊が通らない細かいメッシュ状の袋で、その袋の開口部は丸めたり、少々幅広に、２〜４重に折り込んだりして、強度を持たせてより強く固定をさすことができるようにしてあり、メッシュ状の面を縫い合わせたり、熱で圧着したり、接着で袋状にして、材質はいろいろな合成樹脂や合成樹脂の合成体でつくり、伸縮性のある袋状にしていることを特徴とする、水たまりに進入する蚊、ゴミの防止ネット。
【請求項２】
蚊が通らない細かいメッシュ状の袋で、その袋の開口部は丸めたり、少々幅広に、２〜４重に折り込んだりして、強度を持たせてより強く固定をさすことができるようにしてあり、メッシュ状の面を縫い合わせたり、熱で圧着したり、接着で袋状にして、材質はいろいろな合成樹脂や合成樹脂の合成体でつくり、伸縮性のある袋状にして、その袋状の繊維に、蚊が嫌がる無色の結晶体のペルメトリンや天然のアロマ精油や蚊が幼生（ボウフラ）から、成虫になる課程を阻害する幼若ホルモン、類縁体、ピリプロキシフェンを塗り込んだり、ふきつけたりしてあることを特徴とする、水たまりに進入する蚊、ゴミの防止ネット。
【請求項３】
蚊が通らない細かいメッシュ状の袋で、その袋の開口部は丸めたり、少々幅広に、２〜４重に折り込んだりして、強度を持たせてより強く固定をさすことができるようにしてあり、メッシュ状の面を縫い合わせたり、熱で圧着したり、接着で袋状にして、材質はいろいろな合成樹脂や合成樹脂の合成体でつくり、本考案の袋面が水に浸かる場合は蚊が幼生（ボウフラ）から、成虫になる課程を阻害する幼若ホルモン、類縁体、ピリプロキシフェンの粒を小さな網袋に数個入れてＳ字金具やヒモで本考案の網袋の面に取り付けておくことを特徴とする、水たまりに進入する蚊、ゴミの防止ネット。
【考案の詳細な説明】
【技術分野】
【０００１】建物の外部にある水が溜まった枡や会所、トユの集水器、バケツ、アキカンや植木鉢などの容器に蚊が産卵してボウフラを産むのを防ぐことに関するものである。
【背景技術】
【０００２】枡や会所に入る落葉などのゴミや庭の小石や蚊の進入を防止する装置は存在しないが、消費者が自分の意志で網を加工して、枡、会所の蓋の下に網を敷いたりしてゴミ、小石や蚊の進入を防止する。また、水が入ったバケツや植木鉢には板、布や網をかぶせたりする。また、蚊を殺したりする薬品や装置、蚊が嫌う匂いを分散させて寄せ付けない装置や人体の周りを囲って蚊が近づかない装置や薬品は存在する。
【先行技術】
【０００３】蚊が幼生（ボウフラ）から、成虫になる課程を阻害する幼若ホルモン、類縁体、ピリプロキシフェンが徐々に水に溶けてゆき、蛹化や、成虫化の変態阻害作用で殺虫効果を発現する、人体無害の薬品は存在する。更に、ＷＨＯ（世界保健機構）をはじめ、世界の公的機関が予防策に推奨している、無色の結晶体の「ペルメトリン」を服の繊維に固着さす方法や虫が嫌がる天然のアロマ精油を衣服にふきつけるスプレーなどがある。更に、昆虫趨光性を利用して高電圧で殺虫する装置や、薬品を噴霧させて蚊を死滅させる方法が取られている。また、蚊が嫌う匂いを分散させて、寄せ付けない装置や機器は多数にあるが、蚊の発生にたいしてはほとんど無効である。よくある蚊の対策製品としては次のようなものがある。
１、電撃殺虫灯
２、超音波式虫除けバンダナ
３、香取線香
４、水たまりや小さい池に金魚や小魚をかっておき、蚊の幼虫のボウフラを食べさせる。
５、水の入った容器に蓋をかぶせる。または、ひっくり返して水を出しておいてボウフラ    を産まないようにする。
６、殺虫剤を撒く。しかし、幼児などの人体に危険を及ぼす可能性がある。
７、蚊帳を居間や寝室につる。昔は夏になると寝る時は吊っておき蚊が入るのを防いでい    た。今はアフリカなどで使用されている。
８、最近、ボウフラから成虫への変態を止める、昆虫の生理性物質、幼若ホルモン類縁体    であるピリプロキシフェンが発泡体の固体として開発されている。頼めば各都道府県    の市役所で道路の側溝などに撒いてくれて効果が出ているところもある。しかし、雨    が降って水が流れていくと、薬が流されて無効となる。
９、ハーブによる虫除けバンダナ
▲１▼、殺虫効果が未完成
▲２▼、忌避剤で、しかも局所以外は防御できない。
▲３▼、散歩などの移動中は防御できないといった状況が考えられ、蚊に刺されること          を減らすことができても完全に駆除はできない。
【考案の概要】
【０００４】  家の周りの蚊が産卵する水たまり、例えば、雨水枡、会所、トユの集水器、植木鉢、植木鉢の受け皿、バケツやアキカンの容器など水の溜まるところは多い。その水に蚊がボウフラを生み、成虫するのを防ぐために、蚊が進入しない細かいメッシュ状の袋であり、水を通し、伸縮する材質である、ポリプロピレン、ポリオレフィン、ポリウレタン、ポリエチレン、ポリエステル樹脂の合成やストッキングに使用しているナイロンとポリウレタンの合成であり、形は楕円形、台形、円錐形（三角形）などの袋状であり、枡、会所の上蓋の穴を塞ぐために上蓋の下からかぶせたりして蚊やゴミの進入を防ぎ、トユの集水器や水の入ったバケツの上からかぶせたり、アキカンや植木鉢の集合体にかぶせたりして蚊が進入するのを防止する、水たまりに進入する蚊、ゴミの防止ネット。
【考案が解決しようとする課題】
【０００５】  今、地球は温暖化により、日本だけでなくアジア、ヨーロッパ、中南米、中東などのすべてのところで蚊が猛烈に発生して増加している。蚊の一種はマラリア、日本脳炎、西ナイル熱、チキングニア熱や昨夏、私たちを恐怖させたデング熱、そして、今はブラジルを中心に、南米や中米で急速に広がっているジカ熱などのいろいろな病気を媒介する。これを防ぐためにボウフラを生み、蚊を発生さすいろいろな水たまりをなくし、蚊が水たまりに進入しないようにする方法を考えて実行しなければならない。その地道な努力をしなければ人類はやがて多くの病気を抱えることとなる。
【考案を解決するための手段】
【０００６】  蚊が通らない細かいメッシュ状の伸縮する網状の袋であり、形は糸で縫い付けたり、熱で圧着したり、接着したりして楕円形、台形や円錐形（三角形）の形にした袋をつくり、袋の開口部はより強度を強めるためと、より伸縮性を強めてしっかりと固定をするために開口部の端を丸めたり、２〜４重に幅広に折り込みをした袋である。ポリプロピレン、ポリオレフィン、ポリウレタン、ポリエステル、ポリエチレン樹脂の合成やストッキングに使用しているナイロンとポリウレタンの合成でつくった袋であり、大、中、小の大きさをつくり、いろいろな大きさにも対応する。
【考案の効果】
【０００７】  蚊が産卵する水たまり、例えば雨水枡や会所、トユの集水器、バケツ、空き缶、植木鉢、植木鉢の受け皿などの水たまりに本考案をかぶせたりしておくことにより、蚊が水たまりに進入できずに卵を産むことができない。蚊が媒介する諸種の病気の発生を抑えることができるとともに、蚊に刺されて惹起される不快な痒感を避けられる効果がある。医学的にも、人間の生活上にも、人類の存続のためにも、多大な効果が期待できる。
【図面の簡単な説明】
【０００８】
【図１】正面図  （１）楕円形  （２）台形  （３）円錐形（三角形）
【図２】側面図  （１）楕円形  （２）台形  （３）円錐形（三角形）
【図３】上からの図  （１）楕円形  （２）台形  （３）円錐形（三角形）
【図４】枡、会所にセットをした図、上蓋の裏側にセットした図、丸形、四角型
【図５】バケツにセットした図
【図６】空き缶の集合体にセットした図
【図７】植木鉢や植木鉢の受け皿の集合体にセットをした図
【図８】トユの集水器にセットをした図
【図９】薬を入れた網袋
【図１０】Ｓ字金具で網に袋を付けた図
【符号の説明】
【０００９】▲１▼メッシュ状で伸縮する網袋
▲２▼網袋の開口部の端を丸めたり、幅広に折り込みをした部分
▲３▼網袋の接合部分（糸で縫い付けたり、熱で圧着したり、接着したりした部分）
▲４▼枡、会所
▲５▼枡、会所の上蓋
▲６▼枡、会所の上蓋の穴
▲７▼バケツ
▲８▼空き缶
▲９▼植木鉢
▲１０▼植木鉢の受け皿
▲１１▼トユの集水器
▲１２▼水たまり
▲１３▼落葉、ゴミ
▲１４▼薬
▲１５▼薬を入れる網袋
▲１６▼Ｓ字金具
【考案を実施するための形態】
【００１０】１、枡、会所の上蓋にかぶせる場合；
建物の周りにはトユや他からの枡や会所から流れてくる水が枡や会所の底には常にあ    る。
枡、会所の上蓋の大きさに応じて本考案を選んで上蓋をはずして上蓋の下より本考案    をはめ込む。この場合上蓋の側面に本考案の開口部の端が来るようにセットをして、    上から目立たないようにすると見苦しくない。本考案の開口部は伸縮性があるので簡    単に施工をすることができる。
２、トユの集水器の場合；
集水器の上からかぶせる。この場合、蚊の防御に対しては、集水器の中に落ち葉や土    などのゴミがつまって水が溜まっている場合のみとするが本考案を付けておくと落葉    などのゴミが集水器の中に入って、詰まるのを防ぐ役目をするのでゴミの進入防止に    なる。
３、水の入ったバケツの場合；
バケツの開口部より本考案をかぶせる。バケツの開口部の形状が変わっても伸縮性が    あるので隙間はなく、蚊は入らない。水たまりに本考案の網面が浸かる場合は薬を入    れた薬袋をＳ字金具やヒモで数個ぶら下げて置く。
４、空き缶、植木鉢や植木鉢の受け皿の積み重ねた集合体の場合；
集合体の上よりかぶせる。伸縮性があるために開口部を下にして、蚊が入らないよう    にする。必要なら２〜４個をかぶせて、できるだけ隙間が出ないようにする。水たま    りに本考案の網面が浸かる場合は薬を入れた薬袋をＳ字金具やヒモで数個ぶら下げて    置く。
【産業上の利用可能性】
【００１１】  水のある場所は蚊が発生する。蚊は多くの重大な病気、例えばマラリア、日本脳炎、西ナイル熱、デング熱、チクングニア熱、ジカ熱など恐ろしい病気を媒介する有害な虫である。本考案は蚊の増加を防ぐことは蚊が媒介する諸種の恐ろしい病気を防止し、抑えることができるとともに蚊に刺されて惹起される不快な痒感を避けられることにより、人間が毎日快適な生活をして生きてゆく上で多大な貢献をする。
【図１】
0003206357.tif 000003
【図２】
0003206357.tif 000004
【図３】
0003206357.tif 000005
【図４】
0003206357.tif 000006
【図５】
0003206357.tif 000007
【図６】
0003206357.tif 000008
【図７】
0003206357.tif 000009
【図８】
0003206357.tif 000010
【図９】
0003206357.tif 000011
【図１０】
0003206357.tif 000012
【手続補正書】
【提出日】平成28年6月23日(2016.6.23)
【手続補正１】
【補正対象書類名】実用新案登録請求の範囲
【補正対象項目名】全文
【補正方法】変更
【補正の内容】
【実用新案登録請求の範囲】
【請求項１】
蚊が通らない細かいメッシュ状の袋で、その袋の開口部は丸めたり、少々幅広に、２〜４重に折り込んだりして強度を持たせて、より強く固定をさすことができるようにしてあり、メッシュ状の面を縫い合わせたり、熱で圧着したり、接着したりして、袋状にして、材質は合成樹脂や合成樹脂の合成体でつくり、伸縮性のある袋状にしていることを特徴とする、水たまりに進入する蚊、ゴミの防止ネット。
【請求項２】
蚊が通らない細かいメッシュ状の袋で、その袋の開口部は丸めたり、少々幅広に、２〜４重に折り込んだりして強度を持たせて、より強く固定をさすことができるようにしてあり、メッシュ状の面を縫い合わせたり、熱で圧着したり、接着したりして、袋状にして、材質は合成樹脂や合成樹脂の合成体でつくり、伸縮性のある袋状にして、その袋の繊維に、蚊が嫌がる無色の結晶体のペルメトリンや天然のアロマ精油や蚊が幼生（ボウフラ）から、成虫になる課程を阻害する幼若ホルモン、類縁体、ピリプロキシフェンのいずれかを塗り込んだり、ふきつけたりしてあることを特徴とする、水たまりに進入する蚊、ゴミの防止ネット。
【請求項３】
蚊が通らない細かいメッシュ状の袋で、その袋の開口部は丸めたり、少々幅広に、２〜４重に折り込んだりして強度を持たせて、より強く固定をさすことができるようにしてあり、メッシュ状の面を縫い合わせたり、熱で圧着したり、接着したりして、袋状にして、材質は合成樹脂や合成樹脂の合成体でつくり、袋面が水に浸かる場合は蚊が幼生（ボウフラ）から、成虫になる課程を阻害する幼若ホルモン、類縁体、ピリプロキシフェンのいずれかの粒を小さな袋状に数個入れて、Ｓ字金具やヒモで網袋の面に取り付けておくことを特徴とする、水たまりに進入する蚊、ゴミの防止ネット。